(57)【要約】【課題】  リーダーピン（係合部材）が組み付けられる磁気テープ先端の姿勢状態を安定に保持して組付精度の向上を図ったテープ吸着具を提供する。【解決手段】  磁気テープ先端３Ａを所定量突出させて磁気テープ３を吸着保持するブロック本体２２と、このブロック本体２２のテープ保持面２４に形成され磁気テープ３のテープ面を真空吸着する複数の吸着孔２５とを備え、テープ保持面２４には、吸着孔２５の形成領域の少なくとも一部に、磁気テープ先端３Ａの突出部分をテープ幅方向に湾曲させる傾斜部２７，２７が設けられている。これにより、自由状態である磁気テープ先端３Ａの反りやカールを抑制し姿勢状態を安定に保持して、リーダーピンの組付精度を高める。【選択図】        図２
2006018886.tif 000002
【特許請求の範囲】
【請求項１】
テープ先端を所定量突出させてテープ体を保持するブロック本体と、このブロック本体のテープ保持面に形成され前記テープ体のテープ面を真空吸着する複数の吸着孔とを備えたテープ吸着具であって、
前記テープ保持面には、前記吸着孔の形成領域の少なくとも一部に、前記テープ先端の突出部分をテープ幅方向に湾曲させる傾斜部が設けられている
ことを特徴とするテープ吸着具。
【請求項２】
前記傾斜部は、前記テープ保持面のテープ先端側の端部の両側方に形成されている
ことを特徴とする請求項１に記載のテープ吸着具。
【請求項３】
前記傾斜部は、前記テープ保持面の幅方向に湾曲する湾曲面でなる
ことを特徴とする請求項１に記載のテープ吸着具。
【請求項４】
磁気テープを供給する供給部と、テープリールを回転可能に支持するリール駆動部と、前記供給部から前記テープリールへ巻き付けた磁気テープの一端を保持するテープ吸着具と、前記テープ吸着具から突出したテープ先端部にテープ引出し用の係合部材を組み付ける組付ユニットとを備えた磁気テープカートリッジの製造装置において、
前記テープ吸着具は、テープ先端を所定量突出させてテープ体を保持するブロック本体と、このブロック本体のテープ保持面に形成され前記テープ体のテープ面を真空吸着する複数の吸着孔とを備え、
前記テープ保持面には、前記吸着孔の形成領域の少なくとも一部に、前記テープ先端の突出部分をテープ幅方向に湾曲させる傾斜部が設けられている
ことを特徴とする磁気テープカートリッジの製造装置。
【請求項５】
前記傾斜部は、前記テープ保持面のテープ先端側の端部の両側方に形成されている
ことを特徴とする請求項４に記載の磁気テープカートリッジの製造装置。
【請求項６】
前記傾斜部は、前記テープ保持面の幅方向に湾曲する湾曲面でなる
ことを特徴とする請求項４に記載の磁気テープカートリッジの製造装置。
【発明の詳細な説明】
【技術分野】
【０００１】
本発明は、磁気テープカートリッジの製造に用いて好適なテープ吸着具に関し、更に詳しくは、磁気テープの先端にテープ引出し用の係合部材を組み付ける際、当該磁気テープ先端の姿勢状態を安定に保持して係合部材を精度高く組み付けることができるテープ吸着具およびこれを備えた磁気テープカートリッジの製造装置に関する。
【背景技術】
【０００２】
例えば、データストレージ用の単リール型の磁気テープカートリッジにおいては、カートリッジケースの内部に回転可能に収納されたテープリールのリールハブに磁気テープが巻装され、この磁気テープの先端部には、記録再生装置のテープ引出手段と係合して磁気テープをカートリッジケースの外部に引き出すための係合部材が取り付けられている。
【０００３】
この係合部材は、磁気テープカートリッジの種類によって異なり、例えば、ピン状の金属部品、フック状のプラスチック部品、係合孔を備えたプラスチックテープ等がある。なお、この係合部材は、磁気テープの先端に直接取り付けられるものもあれば、磁気テープの先端に一端が接合された透明なリーダーテープの他端側に取り付けられるものもある。
【０００４】
例えば図５に模式的に示す磁気テープカートリッジ１は、カートリッジケース２の内部のテープリール（図示略）に巻装された磁気テープ３の先端に、上記係合部材としてリーダーピン４が組み付けられている。このリーダーピン４は、図６に示すように、磁気テープ３の先端が巻き付けられる金属製のピン部材５と、このピン部材５に磁気テープ３の先端を固定する断面略Ｃ字形状の合成樹脂製のクランパ６との組付体で構成されている。
【０００５】
ところで、この種の単リールタイプのテープカートリッジの製造には、従来より、磁気テープを供給する供給部と、カートリッジケースに収納されたテープリールを回転可能に支持するリール駆動部と、上記供給部からテープリールへ巻き付けた磁気テープの一端を保持するテープ吸着具と、テープ吸着具から突出したテープ先端部に係合部材を組み付ける組付ユニットとを備えた製造装置が用いられている（例えば下記特許文献１参照）。
【０００６】
図７Ａ〜Ｃは、従来の製造装置におけるテープ吸着具７の構成を示し、Ａは平面図、Ｂは部分破断正面図、Ｃは磁気テープ先端側から見た側面図である。テープ吸着具７は、一様に平坦なテープ保持面１０を有するブロック本体８と、このブロック本体の両側部に設けられたテープガイド９，９と、テープ保持面１０に形成された複数の吸着孔１１とを備えている。各吸着孔１１は、ブロック本体８の内部に形成された負圧供給経路１２を介して図示しない負圧源に接続されており、これらの吸着孔１１を介して、磁気テープ３は、テープ保持面１０に真空吸着される。なお、磁気テープ３のテープ厚はやや誇張して示している。
【０００７】
テープリール（図示略）に巻き付けられた磁気テープ３は、テープ先端３Ａがブロック本体８の先端から所定長Ｌだけ突出した状態でテープ保持面１０に吸着保持されている。上記組付ユニットにおける磁気テープ３とリーダーピン４との組付けは、図８に示すように、自由状態である磁気テープ先端３Ａの一面側にピン部材５を近接させるとともに、クランパ６を磁気テープ先端３Ａの他面側からピン部材５に押し付けることによって行うようにしている。
【０００８】
【特許文献１】特開２００３−２２６４８号公報
【発明の開示】
【発明が解決しようとする課題】
【０００９】
しかしながら、磁気テープ３は、自由状態において組成その他の要因によりテープ長手方向にカール（変形）し易い性質を持っていることから、磁気テープ３をテープ吸着具７で吸着保持したときに、図８において二点鎖線で示したように自由状態である磁気テープ先端３Ａが長さＬの範囲でカールし安定した姿勢状態を維持できない場合があり、その結果、リーダーピン４の組付性が悪化するという問題がある。
【００１０】
また、リーダーピン４の組付けが行えたとしても、リーダーピンの組付位置において磁気テープ先端３Ａを安定して維持することができないので、図９に模式的に示したように磁気テープ先端３Ａに対するリーダーピン４の組付位置、組付角度に製品間でバラツキが生じるとともに、組付精度の悪化、組付不良の原因となる。
【００１１】
その一方で、上述した問題の発生を回避するために、吸着ブロック７から突出させる磁気テープ先端３Ａの長さＬを極力短くして、磁気テープ先端３Ａの変形を抑制することも不可能ではないが、そうすると、磁気テープ先端３Ａの突出長Ｌが短くなる分、組付ユニットにおけるリーダーピン４の組付性が損なわれることになる。
【００１２】
本発明は上述の問題に鑑みてなされ、リーダーピンが組み付けられる磁気テープ先端の姿勢状態を安定に保持して、組付性および組付精度の向上を図ることができるテープ吸着具およびこれを備えた磁気テープカートリッジの製造装置を提供することを課題とする。
【課題を解決するための手段】
【００１３】
以上の課題を解決するに当たり、本発明は、テープ先端を所定量突出させてテープ体を保持するブロック本体と、このブロック本体のテープ保持面に形成されテープ体のテープ面を真空吸着する複数の吸着孔とを備えたテープ吸着具であって、テープ保持面には、吸着孔の形成領域の少なくとも一部に、テープ先端の突出部分をテープ幅方向に湾曲させる傾斜部が設けられていることを特徴とする。
【００１４】
テープ保持面に吸着保持されているテープ体は、テープ保持面上の傾斜部において変形され、テープ先端の一部または全部をテープ幅方向に湾曲させる。これにより、自由状態にあるテープ先端のテープ長手方向における変形（カール）を規制することが可能となり、テープ先端の姿勢状態の安定化が図れるようになる。
【００１５】
したがって、このような構成のテープ吸着具を備えた磁気テープカートリッジの製造装置においては、テープ吸着具に保持された磁気テープ先端の姿勢状態を常に安定して保持することが可能となるので、当該磁気テープ先端に対する係合部材の組付性を向上させつつ、組付精度のバラツキの発生を抑え、生産性向上に大きく貢献することができる。
【００１６】
なお、テープ保持面に形成される傾斜部としては、テープ保持面のテープ先端側の端部の両側方に形成したり、テープ保持面の幅方向に湾曲する湾曲面として形成することができる。湾曲方向は、テープ上面側を凸としてもよいし、テープ下面側を凸としてもよい。また、吸着孔は、テープ保持面の平坦面だけでなく上記傾斜部の形成領域にも形成される必要があるが、傾斜部にのみ形成されていてもよい。
【発明の効果】
【００１７】
本発明によれば、テープ吸着具のテープ保持面に、テープ先端の突出部分をテープ幅方向に湾曲させる傾斜部を設けることにより、自由状態であるテープ先端の姿勢状態を安定に保持することが可能となるので、磁気テープ先端に対する係合部材の組付性が高められるとともに組付精度の向上を図ることができるようになり、これにより、製品間の品質バラツキを低減できるとともに生産性の向上に大きく貢献することができる。
【発明を実施するための最良の形態】
【００１８】
以下、本発明の各実施の形態について図面を参照して説明する。
【００１９】
［第１の実施の形態］
図１Ａ〜Ｃは、本発明の第１の実施の形態によるテープ吸着具２１の構成を示す図で、Ａは平面図、Ｂは部分破断正面図、Ｃは側面図である。また、図２Ａ〜Ｃは、テープ吸着具２１が磁気テープ３を吸着保持した状態を示しており、Ａは平面図、Ｂは部分破断正面図、Ｃは磁気テープ３の先端部３Ａ側から見た側面図である。
【００２０】
テープ吸着具２１は、上面にテープ保持面２４を有するブロック本体２２と、このブロック本体２２の両側部に設けられたテープガイド２３，２３と、テープ保持面２４に形成された複数の吸着孔２５とを備えている。各吸着孔２５は、ブロック本体２２の内部に形成された負圧供給経路２６を介して図示しない負圧源に接続されており、これらの吸着孔２５を介して、磁気テープ３は、そのテープ面がテープ保持面２４に真空吸着される。なお、磁気テープ３のテープ厚はやや誇張して示している。
【００２１】
テープガイド２３は、ブロック本体２２のテープ保持面２４に対して磁気テープ３を幅方向に位置規制するためのガイド部であって、その上端内方側にはテーパー面２３ａが設けられている。
【００２２】
テープ保持面２４は全体的に平坦な形状に形成されているが、本実施の形態では、磁気テープ先端３Ａ側の端部２２ａ領域の両側方に傾斜部２７，２７がそれぞれ形成されている。各傾斜部２７，２７には少なくとも１つの吸着孔２５，２５が分布しており、当該吸着孔２５，２５で磁気テープ３を傾斜部２７，２７に吸着保持可能に構成されている。傾斜部２７，２７により、磁気テープ先端３Ａの一部または全部は、そのテープ幅方向に湾曲され、テープ長手方向に沿ったカール（変形）が規制される。
【００２３】
本実施の形態では、傾斜部２７，２７は、平面的に見て、ブロック本体２２の端部２２ａ側に向かって漸次形成幅が大となる下り傾斜の略三角形状を有するとともに、傾斜角度は、約１０度、テープ保持面２４の平坦部と傾斜部２７との間の高低差は最大約１ｍｍとなっているが、勿論これらの構成に限られない。要は、傾斜部２７で変形吸着される磁気テープ３に対して永久歪等の悪影響を与えず、また、磁気テープ先端３Ａに対するリーダーピン４の組付性が損なわれない範囲（過度に磁気テープ先端３Ａを幅方向に湾曲変形させない範囲）で、傾斜部２７が構成されていればよい。
【００２４】
以上のように構成されるテープ吸着具２１は、例えば図３に模式的に示す磁気テープカートリッジの製造装置３０に適用される。この製造装置３０は、磁気テープ３の供給部３１と、カートリッジ２の内部のテープリール１５を回転可能に支持するリール駆動部３２を備えたカートリッジ保持部３３と、テープ吸着具２１に吸着保持された磁気テープ３の先端３Ａに対してピン部材５およびクランパ６でなる係合部材としてのリーダーピン４を組み付ける組付ユニット３４とを備えている。
【００２５】
テープ吸着具２１は、回動軸３５を支点として回動する回動アーム３６に一体的に固定され、図３において二点鎖線で示す初期位置から、これより９０度反時計方向に回動された図中実線で示す回動位置に回動可能とされている。組付ユニット３４は、回動位置に位置するテープ吸着具２１の直下方位置に配置されており、磁気テープ先端３Ａ一面側にピン部材５を近接させるとともに、クランパ６を磁気テープ先端３Ａの他面側からピン部材５に押し付けることによってリーダーピン４を組み付ける。
【００２６】
また、テープ吸着具２１は、その初期位置において、供給部３１から繰り出された磁気テープ３を吸着保持する吸着ブロック３７に整列配置されている。この吸着ブロック３７は、図３において左右方向にスライド可能に構成されており、その上面には、磁気テープ３の切断用カッターユニット３７のカッター部が進入する溝３９が設けられている。この溝３９よりも供給部３１側の領域は、磁気テープ３を吸着保持する吸着面３７ａとされている。
【００２７】
以上のように構成される磁気テープカートリッジの製造装置３０において、吸着ブロック２１は当初、初期位置に位置している。供給部３１から繰り出される磁気テープ３は、リール駆動部３２の駆動により回転しているテープリール１５に巻き付けられる。所定長の磁気テープ３がテープリール１５へ巻き付けられた後、テープリール１５の回転が停止され、吸着ブロック３７およびテープ吸着具２１により磁気テープ３が吸着保持される。
【００２８】
そして、カッターユニット３８により磁気テープ３が切断され、吸着ブロック３７がテープ吸着具２１と離間する方向に後退した後、テープ吸着具２１は、テープリール１５に巻き付けられた磁気テープ３の一端側を吸着保持した状態で、回動位置に回動される。
【００２９】
このとき、テープリール１５に巻き付けられている磁気テープ３の一端側は、図２Ａ，Ｂに示したように、テープ吸着具２１のブロック本体２２の端部２２ａから所定長Ｌだけ突出した状態で、テープ吸着具２１のテープ保持面２４に保持されている。このテープ吸着具２１から突出した磁気テープ先端３Ａは、テープ保持面２４に形成した傾斜部２７，２７によってエッジ部がテープ下面側に撓み変形されていることにより、図２Ｃに示したようにテープ幅方向に湾曲している。これにより、自由状態である磁気テープ先端３Ａの長手方向に沿った反りあるいはカールが規制され、テープ吸着具２１からの垂下姿勢が安定に保持される。
【００３０】
従って、本実施の形態によれば、磁気テープ先端３Ａの姿勢状態を安定に保持することができるので、組付ユニット３４において、磁気テープ先端３Ａに対するリーダーピン４の組付けを行うに当たり、ピン部材５（クランパ６）と磁気テープ先端３Ａとの間の相対位置関係を常に一定に維持することができるので、リーダーピン４の組付性を向上させ組付不良率を従来よりも大幅に低減できるとともに、組付精度を高められ、高品質の磁気テープカートリッジを生産性高く製造することが可能となる。
【００３１】
［第２の実施の形態］
図４Ａ〜Ｃは、本発明の第２の実施の形態によるテープ吸着具４１の構成を示す図で、Ａは平面図、Ｂは部分破断正面図、Ｃは、磁気テープ３の先端３Ａ側から見た側面図である。
【００３２】
本実施の形態のテープ吸着具４１は、上述の第１の実施の形態と同様な構成を有し、上面にテープ保持面４４を有するブロック本体４２と、このブロック本体４２の両側部に設けられたテープガイド４３，４３と、テープ保持面４４に形成された複数の吸着孔４５とを備えている。各吸着孔４５は、ブロック本体４２の内部に形成された負圧供給経路４６を介して図示しない負圧源に接続されており、これらの吸着孔４５を介して、磁気テープ３は、そのテープ面がテープ保持面４４に真空吸着される。なお、磁気テープ３のテープ厚はやや誇張して示している。
【００３３】
本実施の形態において、テープ保持面４４は、全体的に、上方側が凸となるように幅方向に湾曲させた湾曲面で形成されており、この湾曲面が、本発明の「傾斜部」を構成している。
【００３４】
すなわち、磁気テープ３は、このテープ保持面４４に吸着保持されると、当該テープ保持面４４の湾曲面にならって磁気テープ３がテープ幅方向に湾曲し、これによりブロック本体４２の端部４２ａから所定長Ｌだけ突出する磁気テープ先端３Ａの一部又は全部が、テープ幅方向に湾曲させられることになる
【００３５】
従って、本実施の形態によっても上述の第１の実施の形態と同様な作用効果が得られ、自由状態である磁気テープ３Ａの姿勢状態を安定に保持することができるようになり、これにより、磁気テープ３Ａの長手方向に沿った反りあるいはカールを抑えて、リーダーピン（係合部材）との組付精度を高め、高品質の磁気テープカートリッジを生産性高く製造することが可能となる。
【００３６】
以上、本発明の各実施の形態について説明したが、勿論、本発明はこれらに限定されることなく、本発明の技術的思想に基づいて種々の変形が可能である。
【００３７】
例えば以上の実施の形態では、テープ吸着具２１，４１として、磁気テープ先端３Ａを上面側が凸となるように幅方向に湾曲させるべく傾斜部２７，４４を形成したが、これに代えて、磁気テープ先端３Ａを下面側が凸となるように幅方向に湾曲させるべく傾斜部を形成するようにしてもよい。
【００３８】
また、以上の実施の形態では、図３に示したような磁気テープカートリッジの製造装置３０を例に挙げて説明したが、製造装置３０の構成はこれに限られない。例えば、テープリールに巻装された磁気テープの一端に透明なリーダーテープを介して係合部材を組み付ける場合にあっては、リーダーテープの供給部と、リーダーテープと磁気テープとを接合するテープスプライスユニットが設けられる。
【００３９】
この場合、テープ吸着具には、リーダーテープがその先端を所定量突出させて吸着保持され、その突出した先端部に係合部材が組み付けられることになる。このとき、テープ吸着具に本発明を適用することにより、リーダーテープ先端の反りまたはカールを抑えて、適正な組付作業を行わせることができるようになる。
【００４０】
更に、本発明のテープ吸着具は、磁気テープやリーダーテープのためのテープ吸着具として用いられる場合に限らず、他のプラスチックテープや紙テープ等の姿勢保持具として用いることも可能である。
【図面の簡単な説明】
【００４１】
【図１】本発明の第１の実施の形態によるテープ吸着具２１の構成を示す図であり、Ａは平面図、Ｂは部分破断正面図、Ｃは側面図である。
【図２】テープ吸着具２１が磁気テープ３を吸着保持した状態を示しており、Ａは平面図、Ｂは部分破断正面図、Ｃは磁気テープ３の先端部３Ａ側から見た側面図である。
【図３】磁気テープカートリッジの製造装置３０の構成の一例を示す模式図である。
【図４】本発明の第２の実施の形態によるテープ吸着具４１の構成を示す図で、Ａは平面図、Ｂは部分破断正面図、Ｃは、磁気テープ３の先端３Ａ側から見た側面図である。
【図５】磁気テープカートリッジ１の概略構成図である。
【図６】磁気テープ先端３Ａに組み付けられる係合部材の構成を示す斜視図である。
【図７】従来のテープ吸着具の構成を示す図であり、Ａは平面図、Ｂは部分破断正面図、Ｃは側面図である。
【図８】磁気テープ先端に対する係合部材の組付工程を説明する正面図である。
【図９】磁気テープ先端に対する係合部材の組付精度のバラツキを説明する側面図である。
【符号の説明】
【００４２】
１…磁気テープカートリッジ、２…カートリッジケース、３…磁気テープ、３Ａ…磁気テープ先端、４…リーダーピン（係合部材）、５…ピン部材、６…クランパ、１５…テープリール、２１，４１…テープ吸着具、２２，４２…ブロック本体、２４，４４…テープ保持面、２５，４５…吸着孔、３０…磁気テープカートリッジの製造装置、３１…供給部、３２…リール駆動部、３３…カートリッジ保持部、３４…組付ユニット。
【図１】
2006018886.tif 000003
【図２】
2006018886.tif 000004
【図３】
2006018886.tif 000005
【図４】
2006018886.tif 000006
【図５】
2006018886.tif 000007
【図６】
2006018886.tif 000008
【図７】
2006018886.tif 000009
【図８】
2006018886.tif 000010
【図９】
2006018886.tif 000011